(57)【要約】【課題】アプリケーションが多数搭載された電子名刺を提供することができる。【解決手段】相手の名刺が紙の名刺であってもスキャナ撮像部１１０により紙名刺の名刺情報を読み取り、メモリに記憶する。また相手の顔写真を名刺情報に付加したいときにはデジタルカメラ１１５で撮影を行なって名刺情報とともにメモリに記憶する。さらにスタイラス１１４で表示画面をなぞった軌跡を文字情報に変換してメモリに記憶する。スタイラスで入力された軌跡が日時情報であったらなったらタイマーを作動させてその日時になったらアラームを発する。また、携帯電話を接続して表示画面１０１ａに表示されている名刺情報の相手先に自動ダイヤルする。またカードスロット１０３にメモリカード１０３ａが装填されたら地図の表示も行なう。【選択図】　　　図１
2004078546.tif 000002
【特許請求の範囲】
【請求項１】
自分の名刺情報の無線送信と相手の名刺情報の無線受信とを担う通信手段と、
名刺を読み取って名刺情報を取得する読取手段と、
名刺情報を記憶する記憶手段と、
前記記憶手段に記憶された名刺情報中の所望の名刺情報を操作に応じて指定する指定手段と、
前記指定手段で指定された名刺情報に基づいて、表示画面上に名刺を表示する表示手段とを備えたことを特徴とする電子名刺。
【請求項２】
前記表示画面上をスライラスでなぞったときの軌跡を入力する入力手段と、
前記入力手段で入力された軌跡を文字情報に変換する変換手段とを備え、
前記記憶手段は、前記変換手段で得られた文字情報を名刺情報に対応づけて記憶するものであることを特徴とする請求項１記載の電子名刺。
【請求項３】
前記変換手段で得られた文字情報が日時をあらわす文字情報であったときに該文字情報があらわす日時にアラームを発するアラーム手段を備えたことを特徴とする請求項２記載の電子名刺。
【請求項４】
撮影を行なって画像情報を得るデジタルカメラを備え、
前記記憶手段は、前記デジタルカメラによる撮影で得られる画像情報を名刺情報に対応づけて記憶するものであることを特徴とする請求項１記載の電子名刺。
【請求項５】
記憶メディアが装填され、装填された記憶メディアをアクセスする装填部を備え、
前記装填部に装填された記憶メディアから地図情報がアクセスされる場合に、前記表示手段は、前記表示画面上に、名刺情報中の住所を表わす位置を示した地図を表示するものであることを特徴とする請求項１記載の電子名刺。
【請求項６】
無線電話機と、名刺情報中の電話番号に自動ダイヤルする自動ダイヤル手段とを備えたことを特徴とする電子名刺。
【発明の詳細な説明】
【０００１】
【発明の属する技術分野】
本発明は、無線通信で名刺情報のやりとりを行なう電子名刺に関する。
【０００２】
【従来の技術】
近年、紙の名刺に代わるものとして電子名刺と呼ばれるものが開発されている。この電子名刺は赤外線などを使った無線通信を行なうことができる通信装置を備えており、その通信装置で相手方の名刺情報を無線受信する、あるいは相手方に自分の名刺情報を無線送信するといった無線通信を行なって名刺情報のやり取りが行なわれる。電子名刺では表示画面に自分の名刺が表示されるか、あるいはその無線受信で得られた相手方の名刺情報に基づいて相手の名刺が表示画面に表示される（例えば特許文献１）。
【０００３】
【特許文献１】
特開２００１−２２９３５１号公報
【０００４】
【発明が解決しようとする課題】
しかし、電子名刺は開発されたばかりでまだ普及しておらず、名刺を交換する相手がこの電子名刺を所持していない場合もある。このような場合には電子名刺の機能が発揮されない。
【０００５】
本発明は、上記事情に鑑み、使い勝手の良いアプリケーションを多数備えた電子名刺を提供することを目的とする。
【０００６】
【課題を解決するための手段】
上記目的を達成する本発明の電子名刺は、自分の名刺情報の無線送信と相手の名刺情報の無線受信とを担う通信手段と、
名刺を読み取って名刺情報を取得する読取手段と、
名刺情報を記憶する記憶手段と、
前記記憶手段に記憶された名刺情報中の所望の名刺情報を操作に応じて指定する指定手段と、
前記指定手段で指定された名刺情報に基づいて表示画面上に名刺を表示する表示手段とを備えたことを特徴とする。
【０００７】
上記発明の電子名刺によれば、相手が紙の名刺であっても上記読取手段で名刺情報を読み取ることにより、電子名刺の中に相手の名刺情報を取り込むことができる。
【０００８】
さらに、上記表示画面上をスライラスでなぞったときの軌跡を入力する入力手段と、その入力手段で入力された軌跡を文字情報に変換する変換手段とを備え、上記記憶手段は、その変換手段で得られた文字情報を名刺情報に対応づけて記憶するものであることが好ましい。
【０００９】
このように上記表示画面を上記スタイラスでなぞったときの軌跡が入力され、入力された軌跡が上記変換手段により文字情報に変換されると、簡単なメモをそのスタイラスで入力することができる。
【００１０】
さらに、上記スタイラスで上記表示画面をなぞったときの軌跡が入力され、上記変換手段で作られた文字情報が日時をあらわす文字情報であったときに該文字情報があらわす日時にアラームを発するアラーム手段を備えると、名刺を交換した相手と今度会う予定の日時を、上記スタイラスをペンの様に使って入力してその入力した日時になったら上記アラーム手段によりアラームを発して約束の日時を、この電子名刺の持ち主に知らせることができ、持ち主のスケジュールが管理される。
【００１１】
また、撮影を行なって画像情報を得るデジタルカメラを備え、
上記記憶手段は前記デジタルカメラによる撮影で得られる画像情報を名刺情報に対応づけて記憶するものであることが好ましい。
【００１２】
このようにデジタルカメラによる撮影で得られた画像情報を名刺情報に対応付けて記憶すると、名刺情報とともにその名刺の持ち主である相手の顔を即時に思い出すことができる。
【００１３】
さらにこの電子名刺は、記憶メディアが装填され、装填された記憶メディアをアクセスする装填部を備え、
その装填部に装填された記憶メディアから地図情報がアクセスされた場合に、上記表示手段が、その表示画面上に名刺情報中の住所を表わす位置を示した地図を表示するものであることが好ましい。
【００１４】
このように相手の住所を表わす位置を示した地図が表示されると、相手を訪ねるときに名刺の住所を表わす位置が地図上に表示されるので、名刺の相手のオフィスの場所を時間をかけずに見つけ出すことができる。
【００１５】
また無線電話機と、名刺情報中の電話番号に自動ダイヤルする自動ダイヤル手段と備えたことが好ましい。
【００１６】
このように自動ダイヤル手段を備えると、携帯電話機を繋ぐだけでダイヤルせずに名刺の相手に電話をかけることができる。
【００１７】
【発明の実施の形態】
以下、本発明の実施形態について説明する。
【００１８】
図１は本発明の実施形態を示す電子名刺の外観図であり、図１（ａ）は正面図、図１（ｂ）は背面図である。
【００１９】
図１（ａ）に示すように、この電子名刺１００には表示装置が備えられており、その表示装置の表示画面１０１ａに自分あるいは相手の名刺が表示される。この表示画面はタッチセンサになっており、後述するスタイラスにより表示画面をなぞると、そのタッチセンサが機能してなぞった軌跡が後述する信号処理部に入力される。
【００２０】
また、相手の名刺情報を無線受信するあるいは自分の名刺情報を無線送信するための送受信部１０２ａが図１（ａ）の右下側にあり、図１（ａ）の右側には他に記録メディア１０３ａが装填されるカードスロット（装填部）１０３の挿入口１０３やＵＳＢ規格に準拠したパソコン１０４ａの接続用ポート１０４が設けられている。
【００２１】
また図１（ａ）の上側には上記送受信部１０２ａから自分の名刺情報を相手に無線送信するための送信釦１０５と、相手の名刺情報を送受信部１０２ａで受信するための受信釦１０６が設けられている。この送信釦１０５が押されると送受信部１０２ａから名刺情報をあらわすデータが赤外線により無線送信され、受信釦１０６が押されると相手方の名刺情報をあらわすデータが赤外線により無線受信される。
【００２２】
また図１（ａ）の下側には相手と会った日時を名刺情報に付加して記録するためのタイムスタンプ釦１０７や表示画面１０１ａにカレンダを表示するためのカレンダ釦１０８も備えられている。
【００２３】
さらに図１（ａ）の左側には４つの入力キーを持つ十字キー１０９も備えられており、その十字キー１０９のいずれかのキーを操作して表示画面１０１ａに表示されている名刺情報を他の名刺情報に変えることができる。図１（ａ）では表示画面１０１ａに田中太郎の名刺が表示されているが、ここで十字キー１０９のいずれかが操作されると、他の人の名刺が表示画面１０１に表示される。この十字キー１０９が本発明にいう指定手段に当たる。
【００２４】
この電子名刺１００には相手が電子名刺を所持していない場合にも対応することができるように読取用のスキャナ撮像部１１０が備えられている。スキャン釦１１１はそのスキャナ撮像部１１０を動作させるためのものであり、このスキャン釦１１１を押しながら、紙名刺の端部から反対側の端部までスキャナ１１０を略平行に移動させると、紙名刺の情報を読み取ることができる。また十字キー１０９には内側にＯＫ釦１０９ａが備えられており、たとえば後述するスタイラスで表示画面１０１をなぞり終えたときなどに押され、このＯＫ釦１０９ａが押されると電子名刺１００内部の信号処理部にスタイラスで表示画面１０１ａのタッチセンサをなぞった軌跡が入力される。この表示画面１０１ａのタッチセンサが本発明にいう入力手段に当たる。
【００２５】
また後述するデジタルカメラを作動させるためのレリーズ釦１１２も備えられており、このレリーズ釦１１２が押されるとデジタルカメラで撮影が行なわれる。
【００２６】
また、携帯電話機１１３ａを接続するためのＩ／Ｆ部１１３も備えられており、このＩ／Ｆ部１１３に携帯電話機１１３ａが接続されると、表示画面１０１に表示されている名刺の中の電話番号ＴＥＬに基づいて自動ダイヤルされる。
【００２７】
図１（ｂ）にはこの電子名刺１００の背面側が示されている。この電子名刺１００の背面には、スタイラス１１４を収容するためのスタイラス収容部１１４ａが設けられており、そのスタイラス収容部１１４ａにスタイラス１１４が収容されている。なお、図１（ｂ）にはスタイラス１１４がスタイラス収容部１１４ａから取り出された状態が示されている。その取り出されたスタイラス１１４は表示画面１０１をなぞるためのものであり、このスライラス１１４でタッチセンサを備えた表示画面１０１をなぞると、そのスタイラスの軌跡が電子名刺１００内の信号処理部に入力される。
【００２８】
また図１（ｂ）の左側にはデジタルカメラの撮影レンズ１１５ａが備えられており、このデジタルカメラの撮影レンズ１１５ａを相手の顔に向けて撮影を行なうこともできる。また、撮影レンズ１１５ａの下方にはＧＰＳ釦１１６が備えられており、このＧＰＳ釦１１６が押されると、名刺の中の住所を表わす位置が示された地図が表示画面１０１に表示される。
【００２９】
図２は電子名刺１００内部の信号処理部の構成ブロック図である。
【００３０】
この信号処理部１２０はＤＳＰで構成されており、このＤＳＰはＣＰＵ１３０で制御される。またＣＰＵ１３０には図示しないＲＯＭが接続されており、そのＲＯＭにはプログラムが格納されている。さらにＣＰＵ１３０にはワーキングエリアを形成するＲＡＭも接続されており、ＣＰＵにより処理が行なわれるときにはその処理に必要なデータが一時このＲＡＭに記憶される。
【００３１】
図２には図１に示した送信釦１０５、受信釦１０６、十字キー１０９、スキャン釦１１１、レリーズ釦１１２、ＧＰＳ釦１１６それぞれを一括して操作部１２１として示してある。
【００３２】
まず、操作部１２１の中の送信釦１０５が押されると、送信釦１０５が押されたことがＣＰＵ１３０に通知され、ＣＰＵ１３０では送信プロセスが起動される。この送信プロセスが起動されると、まず表示画面１０１ａに表示されている自分の名刺情報が信号処理部１２０から通信部１０２に供給される。通信部１０２ではその供給されたデータに基づいて相手の電子名刺へ自分の名刺情報をあらわすデータが送信される。この通信部１０２には図１に示した送受信部１０２ａが備えられており、この通信部には赤外線を発光する発光部とその発光部を無線送信するデータに基づいて変調する変調部と赤外線を受光する受光部とが備えられている。この変調部で自分の名刺情報をあらわすデータに応じて変調された赤外線が図１に示した送受信部１０２ａを介して相手の電子名刺に向けて無線送信される。
【００３３】
また操作部１２１の中の受信釦１０６が押されたら、受信釦１０６が押されたことがＣＰＵ１３０に通知され、ＣＰＵ１３０では受信プロセスが起動される。この受信プロセスが起動されると、通信部１０２の受光部が受信可能な状態に遷移する。このときに名刺情報をあらわすデータに応じて変調された赤外線が受光部に送られてくると、受光部で相手の名刺情報をあらわすデータが受信され、この受信されたデータが通信部１０２で復調されてこの復調されたデータが順次信号処理部１２０へと供給される。この信号処理部１２０ではその送られてきた名刺情報をあらわすデータが表示可能なデータに変換され、この変換されたデータがメモリ１２２に記憶される。そのメモリ１２２に記憶されたデータが読み出されて表示部１０１に供給されて表示画面１０１ａに表示される。
【００３４】
このように相手の電子名刺の名刺情報を、自分の電子名刺で受信したら相手の名刺情報がメモリ１２２に記憶されて表示画面１０１ａに表示される。本発明の電子名刺１００では受信した名刺情報に加えて、デジタルカメラ１１４で相手の顔を撮影してその撮影した顔写真を名刺情報に加えることができる。名刺情報に顔写真を加える場合には相手の名刺情報を表示画面１０１ａに表示させたままでレリーズ釦１１３を押せば良い。そうすると、デジタルカメラ１１５部で相手の顔写真が撮影され、その顔写真をあらわす画像データが取り込まれて信号処理部１２０に供給される。この画像データが信号処理部１２０で表示可能なデータに変換されてその変換されたデータが表示画面１０１ａに表示されている名刺情報に対応付けられて付加され、メモリ（記憶手段）１２２に記憶される。このメモリ１２２に記憶された、顔写真が付加されたデータが読み出されて、顔写真付きの名刺が表示画面１０１ａに表示される。
【００３５】
また、相手が紙の名刺しか所持していない場合には、スキャナ撮像部１１０で紙名刺の名刺情報を読み取り、そのこの読み取った名刺情報をあらわすデータがメモリ１２２に記憶される。そのメモリ１２２から名刺情報をあらわすデータが読み出されると、表示画面１０１ａに相手の名刺が表示される。
【００３６】
図２に示すように紙名刺を読み取るためのスキャナ（読取部）１１０と、相手の顔を撮影するためのデジタルカメラ１１５とはスイッチ１４０により切り替えられる構成になっている。このスイッチ１４０は通常、デジタルカメラ１１５側に倒されており、スキャン釦１１２が押されたら、スキャナ撮像部１１０側に倒される。
【００３７】
デジタルカメラ１１５には撮影レンズ１１５ａと２次元に画素が配列されたＣＣＤ固体撮像素子１１５ｂとが備えられており、スキャナ撮像部１１０には撮影レンズ１１０ａと１次元に画素が配列されたＣＣＤ固体撮像素子（以下、ラインセンサという）がそれぞれ備えられている。
【００３８】
操作部１２１の中のレリーズ釦が押されるとＣＰＵ１３０により制御される図示しないタイミングジェネレータのタイミング信号に基づいて撮影レンズ１１５ａで結像された被写体像をあらわす画像データがデジタルカメラ１１５側のＣＣＤ固体撮像素子１１５ｂから取り込まれて信号処理部１２０へ供給され、操作部１２１の中のスキャン釦が押されるとＣＰＵ１３０によりスイッチ１４０がスキャナ撮像部１１０側に切り替えられてスキャナ撮像部１１０側のラインセンサ１１０ｂから紙名刺をあらわす画像データが順次取り込まれて信号処理部１２０へ供給される。この信号処理部１２０は、変換部を備えており、その変換部で画像データが文字情報に変換される。この文字情報に変換されたデータが電子名刺の通信部１０２で受信して得られた名刺情報をあらわすデータと同じフォーマットでメモリ１２２に記憶される。このようにスキャナ部で読み取られたデータと通信部で無線受信された名刺情報をあらわすデータが同じフォーマットでメモリに記憶されると、多数の名刺情報の中から所望の名刺情報を検索する場合などに有効である。なお、この電子名刺１００には強力な検索機能が備えられており、名刺情報の中の住所、会社名、五十音順などの並べ替えを行なうことができる。ＲＯＭに格納されたプログラムの中のソートを行なうためのプログラムの手順にしたがってＲＡＭでそのデータを並び替えて表示画面に表示させる。このようにソート機能を働かせるときには表示画面にたとえば五十音順に並べられた氏名を同時に多数表示させても良いし、十字キー１０９をスクロール操作して表示させるようにしても良い。
【００３９】
また相手の名刺情報に加えて相手と今度会う約束をした日時などがスタイラス１１４によりなぞられた軌跡が表示画面１０１ａのタッチセンサ１０１ｂを介して信号処理部１２０に入力される。信号処理部１２０にはその入力された軌跡を文字情報に変換する変換部が備えられており、画像データと同様にその変換部で軌跡が文字情報に変換され、表示画面１０１ａに表示されている名刺情報に対応付けられてメモリ１２２に記憶される。ＣＰＵ１３０には時計とタイマが備えられており、スタイラス１１４で入力された軌跡が日時情報であった場合にはその日時情報に基づいてタイマが起動される。そしてその入力された日時になったら表示画面１０１ａにスタイラスで入力された日時情報が付加された相手の名刺が表示され、さらに図示しないブザーから警告音が発せられる。
【００４０】
このように紙名刺にペンで日時などを書き加えることができるように電子名刺１００にもスタイラスにより簡単なメモを書き加ることができるので、使い勝手の良い電子名刺１００になる。
【００４１】
またＣＰＵ１３０の時計が備えられていることを利用して時刻に基づいて相手とあった日時を名刺情報に付け加えることもできるように操作部１２１の中には図１に示したようにタイムスタンプ釦１０７も設けられている。このタイムスタンプ釦１０７を押せば、その相手とあった日時を名刺情報に付加して、メモリ１２２に記憶することができる。このようにすると、たとえ名刺を交換した相手が多くなってきても、その多くの相手の名刺情報とともに会った日時がメモリに記憶されるので、多数の相手との面談履歴が管理される。
【００４２】
また操作部１２１の中のカレンダ釦を操作するとカレンダも表示される。このカレンダを見てスタイラスにより予定を書き込めば、カレンダにその予定が書き込まれる。
【００４３】
このようにＣＰＵ１３０が備える時計を有効に利用すると、本発明の電子名刺でスケジュールの管理を効率的に行なうことができる。
【００４４】
さらに、電子名刺にはメモリカード１０３ａの装填を行なうためのカードスロットがあり、このカードスロット１０３はバス１６０で信号処理部１２０とＣＰＵ１３０とに接続されている。したがってバス１６０を介してアドレスおよびデータの転送を行なうことができ、メモリカード１０３ａに自在にアクセスすることができる。このカードスロット１０３に地図データが格納されたメモリカード１０３ａが装填されて、操作部１２１の中のＧＰＳ釦が押されると、ＣＰＵ１３０にＧＰＳ釦が押されたことが通知され、ＣＰＵ１３０では地図表示プロセスが起動される。この地図表示プロセスではメモリカード１０３ａに記録された地図データの読取が行なわれ、ＧＰＳ釦が押されたときに表示されていた名刺の住所を示す位置がその地図上に示されて地図とともに表示される。このように伺う相手の名刺を表示させておいてＧＰＳ釦を押すことにより相手の住所を示す位置を地図とともに表示画面に表示させると、地図を確認しながら相手のオフィスまで短時間のうちに辿りつくことができる。たとえば、電子名刺とパーソナル用のＧＰＳ受信機を組み合わせて、自分の現在位置を地図に表示させる構成にしても良い。
【００４５】
図３〜図６はそのプログラムの手順を示したフローチャートである。
【００４６】
図３はスキャナ撮像部による紙名刺読取プロセスのフローチャートであり、図４はスタイラスによるペン入力プロセスのフローチャートであり、図５はデジタルカメラでの顔写真を撮影プロセスであり、図６はＧＰＳ釦の押下に応じて地図を表示する地図表示プロセスのフローチャートであり、図７は携帯電話機が接続されたときの自動ダイヤルプロセスのフローチャートである。
【００４７】
図３の紙名刺読取プロセスを説明する。
【００４８】
ステップ３０１では図１に示したスキャン釦が押されたかどうかが判定される。ここでスキャン釦が押されたらＹｅｓと判定されて次のステップ３０２へ移行する。ステップＳ３０２ではラインセンサが駆動され、ステップＳ３０３ではスキャン釦が押し続けられている間中紙名刺の名刺情報をあらわすデータが取り込まれる。
【００４９】
ステップＳ３０４ではスキャン釦の押下が継続されているかどうかが判定される。ここでスキャン釦の押下が継続されていなかったらＮｏと判定されてステップＳ３０５へと移行する。押下が継続されていてＹｅｓと判定されたら、ステップへと戻されてステップＳ３０２〜ステップＳ３０４が繰り返される。
【００５０】
ステップＳ３０４でＮｏと判定されたらステップＳ３０５で取り込まれたデータの信号処理が行なわれる。ここでの信号処理はフォーマット変換であり、電子名刺で受信されたデータとフォーマットをあわせた上でステップＳ３０６でメモリ１２２にラインセンサで取り込まれたデータが書き込まれる。そしてこのプロセスの処理が終了する。
【００５１】
図４はスタイラスによるペン入力プロセスのフローチャートである。図４を参照してフローチャートを説明する。
【００５２】
ステップＳ４０１ではタッチセンサ部にスタイラスによりペン入力があるかどうかが判定されており、入力がなければＮｏと判定され、ステップＳ４０１が繰り返される。ここでスタイラスによりペン入力があったら、Ｙｅｓと判定されてステップＳ４０２へ移行してスタイラスで表示画面のタッチセンサがなぞれられていることがＣＰＵで検知される。ここでＯＫ釦が押されたらステップＳ４０３でＹｅｓと判定されてステップ４０４Ｓへと移行する。ステップＳ４０４ではスタイラスにより入力された軌跡が信号処理部の変換部で文字情報に変換される。ステップＳ４０５でその変換された文字情報がメモリに記憶される。ステップＳ４０６ではメモリに記憶された文字情報が読み出され、その文字情報が日時情報であるかどうかが判定される。
【００５３】
ステップＳ４０６でＹｅｓと判定されたらステップＳ４０６へ移行し、ステップＳ４０７でタイマがセットされる。そしてタイマが作動して、その日時情報があらわす日時になったら、ステップＳ４０８でアラームが発せられる。このときには表示画面に日時が付加された相手の名刺が表示されるともにブザーから警告音が発音される。
【００５４】
図５は顔写真読取プロセスのフローチャートである。
【００５５】
図５に示すようにステップＳ５０１でレリーズ釦が押されたことが検出されると、ステップＳ５０２でＣＣＤ固体撮像素子１１５ｂが駆動される。ステップＳ５０３でレリーズ釦が押されたときの画像データがＣＣＤ固体撮像素子１１５ｂから取り込まれ、その取り込まれた画像データが信号処理部１２０に供給される。この信号処理部１２０には画像データを表示画面に表示可能にするための変換部も備えられており、ステップＳ５０４ではその変換部で相手の顔写真をあらわす画像データが表示可能な画像データに変換され、ステップＳ５０５で名刺情報とともにその画像データがメモリ１２２に記憶される。このときには顔写真をあらわすデータに対応する表示可能な画像データがメモリ１２２の所定の記憶領域に書き込まれる。
【００５６】
以上が相手と名刺交換を行なったときに相手の名刺情報に対応づけて情報を電子名刺内のメモリに書き込む場合のアプリケーションである。
【００５７】
以降の説明においてはこの取得されたデータに基づいてこの電子名刺でどのようなアプリケーションが機能するかを説明する。
【００５８】
前述した紙名刺読取プロセス、ペン入力プロセス、顔写真読取プロセスといったアプリケーションが機能して取得されたデータはメモリ１２２に記憶されている訳であるから、このメモリ１２２に記憶された多数の名刺情報をあらわすデータを利用して図６と図７の処理が行なわれる。なお表示画面１０１ａにはメモリ１２２から読み出されたデータに基づいた名刺情報が常に表示されており十字キー１０９を操作することによりメモリ１２２に記憶された名刺情報が表示画面に順次表示される。いずれかの名刺情報が表示画面に表示されたら図６と図７のフローチャートの処理が行なわれる。図６は地図表示プロセスのフローチャートである。
【００５９】
まず、図６を参照して地図表示プロセスを説明する。
【００６０】
カードスロット１０３はＣＰＵ１３０および信号処理部１２０にバスで接続されており、ステップＳ６０１でＧＰＳ釦が押されたと判定されたらこのカードスロットに装填されたカードメモリへのアクセスが開始される。ステップＳ６０２ではカードメモリが装填されているかどうかが判定され、カードメモリが装填されていなかったらＮｏと判定されてステップＳ６０２が繰り返される。カードが装填されたら、あるいはカードが装填されていたらステップＳ６０２でＹｅｓと判定されて、次のステップＳ６０３へと移行する。このステップＳ６０３でメモリカードへのアクセスが開始されて、まず地図データの中の多数の属性データが取得され、前述したＲＡＭに一旦記憶される。この属性データは住所、名称、緯度、経度といったデータからなり、この属性データが多数、ＲＡＭに読み込まれたら、その多数の属性データに基づいて住所の検索などが行なわれる。ステップＳ６０４では検索を行ないたい名刺を表示画面に表示させ、その表示されたデータに基づいて住所一致の検索が行なわれている。ステップＳ６０５で表示画面に表示されている住所と一致する住所が属性データの中から検索されたら、ステップＳ６０６で属性データの中からその住所に対応する緯度、経度データがその取得される。ステップＳ６０７ではその緯度、経度に対応する地図をあらわすデータがメモリカードから読み出され、その読み出された地図をあらわすデータが信号処理部で表示可能な画像データに変換されて表示画面に表示される。その緯度、経度に対応する地図が多数ある場合には、十字キーを操作することによりその緯度、経度に対応する別の地図が表示される。
【００６１】
そしてステップＳ６０８でその地図データ上に相手の名刺情報の中にある住所が示す位置がＣＰＵ１３０からの指示に基づいてポインタで表示される。そうすると、地図のどの位置に相手のオフィスが在るかが一目で分かる。
【００６２】
また、図７は自動ダイヤルの処理プロセスのフローチャートである。
【００６３】
この電子名刺では表示されている名刺情報の相手に電話をかけたいときに携帯電話を接続して自動ダイヤルを行なうことができる。
【００６４】
図７に示すようにステップＳ７０１で携帯電話が接続されたかどうかが判定される。十字キーを操作して電話したい相手を選択したら、ＯＫ釦が押され、その表示されている名刺の中にある電話番号に基づいて自動ダイヤル処理が行なわれる。まずステップＳ７０４でオンフック処理が行なわれて、通話状態に変更され、ステップＳ７０５でダイヤルの送出が順次行なわれる。そうすると、携帯電話を接続しただけで相手先に自動ダイヤルすることができる。
【００６５】
以上説明したように、相手が紙の名刺しか所持していなくてもスキャナ撮像部で紙名刺の名刺情報を読み取ることができ、通信部で受信した相手の名刺情報とともにメモリに記憶することができる。また相手の顔を名刺情報に加えて相手の顔と名刺とを照らし合わせたい場合にはデジタルカメラで相手の顔を撮影して名刺情報とともにメモリに記憶することができる。
【００６６】
また、スタイラスをペンの代わりに使ってメモを入力することができるので、紙名刺にペンでメモを書き込むように電子名刺を使用することができる。さらに日時が入力されるとアラームが発せられるので、大事なお客様との約束があるときにはその約束を忘れるといったことがなくなる。
【００６７】
また、携帯電話機を接続するだけで、ダイヤルをしなくて済むので番号の掛け間違えなどがなくなる。
【００６８】
そのほかにカレンダによるスケージュール管理機能やソート機能などを実現するアプリケーションが装備されているので、今までに比べて一層使い勝手の良い電子名刺になる。
【００６９】
【発明の効果】
以上、説明したように、本発明によれば、アプリケーションが多数搭載された電子名刺を提供することができる。
【図面の簡単な説明】
【図１】本発明の一実施形態である電子名刺の外観図である。
【図２】図１の電子名刺内に配備される信号処理部の構成ブロック図である。
【図３】紙名刺読取プロセスのフローチャートである。
【図４】ペン入力プロセスのフローチャートである。
【図５】顔写真読取プロセスのフローチャートである。
【図６】地図表示プロセスのフローチャートである。
【図７】自動ダイヤルプロセスのフローチャートである。
【符号の説明】
１００　　電子名刺
１０１　　表示装置
１０１ａ　　表示画面
１０２　　通信部
１０２ａ　　送受信部
１０３　　カードスロット
１０４　　ＵＳＢポート
１０５　　送信釦
１０６　　受信釦
１０７　　タイムスタンプ釦
１０８　　カレンダ釦
１０９　　十字キー
１１０　　スキャナ（読取部）
１１１　　スキャン釦
１１２　　レリーズ釦
１１３　　Ｉ／Ｆ
１１４　　スタイラス
１１４　　スタイラス収容部
１１５　　ＧＰＳ釦
１２０　　信号処理部
１２１　　操作部
１２２　　メモリ（記憶部）
１３０　　ＣＰＵ
【図１】
2004078546.tif 000003
【図２】
2004078546.tif 000004
【図３】
2004078546.tif 000005
【図４】
2004078546.tif 000006
【図５】
2004078546.tif 000007
【図６】
2004078546.tif 000008
【図７】
2004078546.tif 000009